(57)【要約】【課題】配線を固定するための部材を別途取り付ける必要がなく、簡素な構造で配線の口出し部を容易に固定することのできる配線ダクトを提供する。【解決手段】配線ダクトを構成する筒状部材１の少なくとも一方の端部に、筒状部材１の長手方向に突出する配線ささえ部１ａを一体に形成し、この配線ささえ部１ａに配線を結束する結束部材２を係止して、配線の口出し部を固定する。以上の構成により、振動による配線とダクト端部（開口縁部）との擦れに起因する配線の断絶を防止することができる。【選択図】図１
2007312532.tif 000002
【特許請求の範囲】
【請求項１】
長手方向に連続するダクトの内側に形成された空間に、配線を収納する配線ダクトであって、
前記ダクトの少なくとも一方の端部に、該ダクトの長手方向に突出する配線ささえ部が一体に形成されていることを特徴とする配線ダクト。
【請求項２】
前記配線ささえ部に、配線を結束する結束部材を挿通することのできる複数の穴が形成されていることを特徴とする請求項１に記載の配線ダクト。
【請求項３】
前記配線ささえ部における前記長手方向に直交する位置の各縁部に、配線を結束する結束部材を係合することのできる切り欠きがそれぞれ形成されていることを特徴とする請求項１に記載の配線ダクト。
【発明の詳細な説明】
【技術分野】
【０００１】
本発明は、電線や信号線等のケーブルを収容する配線ダクトに関し、更に詳しくは、部品点数を増やすことなく、配線束の口出し部を容易に固定することのできる配線ダクトに関する。
【背景技術】
【０００２】
建築物および車両等の床下・天井裏や壁の中には、電線（ケーブル）や信号線などを案内・収容する配線ダクト（ケーブルダクト）が配設されている。これら配線ダクトは、通常、長手方向に連続する略筒状であり、その開口断面は、円形，長円形あるいは方形，長方形等に形成されている。なお、配線ダクトには、配線樋のようなオープンダクト等もある。
【０００３】
また、車両や鉄道車両等、振動を受ける場所に設置される配線ダクトの端部近傍には、タイラップあるいはケーブルタイと呼ばれる配線結束用の結束部材（ケーブルバンド）が配設されており、内部に挿通される配線束の口出し部をこの結束部材で固定することによって、ダクト端部（開口縁部）と擦れに起因する配線の切断が防止されている。
【０００４】
図４は、従来の配線ダクトの一端部の構造を示す図である。
この配線ダクト１１は、例えば鉄道車両の床下・天井裏や壁面の内部等、客室部から見えない部位に配置されているものであり、長方形状の金属板を折り曲げて形成され、長手方向に連結して用いられている。また、その開口断面は長円形状に形成されており、一方の端部１１ａ近傍の外周面には、この外周面に略沿った形状の固定部材１２Ａと、２つの穴１２ｂを有する平板状の固定部材１２Ｂとからなる「配線ささえ」１２が配置されている。
【０００５】
この配線ささえ１２は、電線や信号線等の口出し部の移動（振動による振れ）を防止するために配設されているものであり、図５に示すような結束部材（タイラップ２）を、これら口出し部の周りを一周するように、固定部材１２Ｂに設けられた穴１２ｃ，１２ｃに順次挿通させ、その径を引き締めることにより、内部に挿通された電線等を、固定部材１２Ｂの表面に固定している。
【０００６】
なお、配線の口出し部を安定させるその他の構成例として、配線ダクトの内部に、振動による配線束のばたつき騒音を抑えるケーブルバンドを備した構成（特許文献１）や、配線ダクトの端部開口に、配線管の接続を安定させるための端末キャップを配した構成（特許文献２）等が提案されている。
【特許文献１】特開平５−２８４６２６号公報
【特許文献２】特開平１０−１６４７２４号公報
【発明の開示】
【発明が解決しようとする課題】
【０００７】
ところで、以上のような振動を受ける部位に配設される配線ダクトは、口出し部となるその一端部に配線を固定するための部材を別途取り付けねばならないため、作業工数と部品点数が多くなり、コストアップとなってしまうという問題があった。
【０００８】
本発明は、上記する課題に対処するためになされたものであり、配線を固定するための部材を別途取り付ける必要がなく、簡素な構造で配線の口出し部を容易に固定することのできる配線ダクトを提供することを目的としている。
【課題を解決するための手段】
【０００９】
前記の目的を達成するために、請求項１に記載の発明は、長手方向に連続するダクトの内側に形成された空間に、配線を収納する配線ダクトであって、前記ダクトの少なくとも一方の端部に、該ダクトの長手方向に突出する配線ささえ部が一体に形成されていることを特徴とする。
【００１０】
本発明は、車両用等、振動を受ける箇所に配設される配線ダクトにおいて、このダクトを構成する部材の端部に連続する配線結束用のフランジを一体に設け、このフランジに配線を固定することにより、所期の目的を達成しようとするものである。
【００１１】
すなわち、請求項１に記載の発明によれば、配線ダクトを構成する筒状部材の一方の端部（縁部）に連続して、長手方向に突出する配線ささえ部を設けることにより、配線を固定するための部材を別途取り付けたりすることなく、前記配線の口出し部を、タイラップ等の結束部材を用いて容易に固定することができるようになる。
【００１２】
ここで、本発明の配線ダクトは、前記配線ささえ部に、配線を結束する結束部材を挿通することのできる複数の穴が形成されている構成（請求項２）、あるいは、前記配線ささえ部における前記長手方向に直交する位置の各縁部に、配線を結束する結束部材を係合することのできる切り欠きがそれぞれ形成されている構成（請求項３）を好適に採用することができる。
【００１３】
配線ダクトの内部に挿通される配線は、通常、ダクトの長手方向に収納されるため、これらを固定する結束部材は、前記長手方向に直交する方向に用いられる。従って、配線ささえ部に形成する結束部材用の穴や切り欠きは、前記長手方向に直交する方向に沿って設けることが望ましい。
【００１４】
以上の構成によって、より確実に配線を固定できるようになるとともに、これら配線を固定する結束部材が、振動により脱落するのを防止することが可能になる。
【発明の効果】
【００１５】
以上のように、本発明の配線ダクトによれば、簡素かつ低コストな構造で、振動に起因する配線とダクト端部（縁部）との擦れ、および配線の断絶を防止することができる。
【００１６】
また、本発明の配線の固定構造は、従来の配線ダクトの配線固定方法に比べ、部品点数と取り付け現場における作業工数を抑えることが可能で、配線ダクトの設置作業全体としてのコストを低減することができる。
【発明を実施するための最良の形態】
【００１７】
以下、図面を参照しつつこの発明を実施するための形態について説明する。
図１は、本発明の第１実施形態における配線ダクトの構造を示すであり、配線ダクトの端部を、上から見た図（ａ）、横から見た図（ｂ）、長手方向の開口側からみた図（ｃ）である。
【００１８】
この実施形態における配線ダクトも、鉄道車両の床下・天井裏や壁面の内部等、客室部から見えない位置に配置されるものであり、従来例と同様、金属板を折り曲げて形成された筒状体（１）である。また、その開口断面は長円形状に形成されており、図示しない他方の端部側を長手方向に連結して用いられている。
【００１９】
本実施形態における配線ダクトの特徴は、この配線ダクト１を構成する筒状部材１の一方の端部に、筒状部材１の長手方向に突出するフランジ状の配線ささえ部１ａが一体に形成されている点である。
【００２０】
以上の構成により、この実施形態における配線ダクトは、配線ささえ１ａにおける筒状部材１の長手方向に直交する方向の両縁部１ｂ，１ｂに結束部材（タイラップ２等）を引っ掛け、その径を引き締めることにより、筒状部材１内部に挿通された電線等の口出し部を、容易に固定することができる。従って、本実施形態における配線ダクトは、新たな部材等を取り付けたりすることなく、振動による配線とダクト端部（開口縁部）との擦れに起因する配線の断絶を防止することができる。
【００２１】
なお、この配線ささえ部１ａを形成する方法は、特に限定されるものではない。例えば、この実施形態では、筒状部材１の一方の端部に、結束部材を係止することのできるフランジ状の配線ささえ部１ａを形成した例を示したが、この例は、逆の見方をすれば、筒状部材の端部の一部を切り欠いた構成と見なすこともできる。従って、筒状部材１の一方の端部近傍を部分的に切除し、この残部を配線ささえ部１ａとした場合でも、本実施形態と同様の作用効果を奏することは勿論である。
【００２２】
次に、本発明における他の実施形態を説明する。
図２および図３は、本発明の第２および第３実施形態における配線ダクトの構造を示すであり、それぞれ、配線ダクトの端部を上から見た図（ａ）、横から見た図（ｂ）、長手方向の開口側からみた図（ｃ）である。
【００２３】
これらの実施形態も、鉄道車両の床下・天井裏や壁面の内部等、客室部から見えない位置に配置されるものであり、従来例と同様、金属板を折り曲げて形成された筒状体である。また、図示しない他方の端部側を長手方向に連結して用いられている。
【００２４】
まず、第２実施形態における配線ダクトが第１実施形態と異なる点は、図２のように、筒状部材１の一方の端部から突出して形成された配線ささえ１ａの両縁部１ｂ，１ｂに、前述の結束部材（タイラップ２等）を係止することのできる切り欠き１ｃ，１ｃが形成されている点である。
【００２５】
また、第３実施形態における配線ダクトが第１実施形態と異なる点は、図３のように、筒状部材１の一方の端部に連続して形成された配線ささえ１ａに、結束部材（タイラップ２等）を挿通することのできる２つの穴１ｄ，１ｄが形成されている点である。
【００２６】
これらの構成により、結束部材が振動により脱落するのを防止することができる。従って、本発明の配線ダクトは、これら配線固定の信頼性・耐久性を向上させることができる。また、配線固定作業が容易となり、取り付け現場における作業工数を抑えることが可能となる。
【００２７】
なお、以上の実施形態では、端部開口断面が長円形状に形成された配線ダクトを例に説明したが、本発明は、その他の開口断面形状を有する配線ダクトは勿論、その側面の一部が長手方向に開口する配線樋のようなオープンダクト等にも適用でき得ることは言うまでもない。
【図面の簡単な説明】
【００２８】
【図１】本発明の第１実施形態における配線ダクトの構造を示す図であり、配線ダクトの端部を、上から見た図（ａ）、横から見た図（ｂ）、長手方向の開口側からみた図（ｃ）である。
【図２】本発明の第２実施形態における配線ダクトの構造を示す図であり、配線ダクトの端部を、上から見た図（ａ）、横から見た図（ｂ）、長手方向の開口側からみた図（ｃ）である。
【図３】本発明の第３実施形態における配線ダクトの構造を示す図であり、配線ダクトの端部を、上から見た図（ａ）、横から見た図（ｂ）、長手方向の開口側からみた図（ｃ）である。
【図４】従来の配線ダクトの一端部の構造を示す図である。
【図５】配線の結束に用いられるタイラップの形状例である。
【符号の説明】
【００２９】
１  筒状部材（配線ダクト）
１ａ  配線ささえ部      １ｂ  縁部
１ｃ  切り欠き      １ｄ  穴
２  タイラップ
１１  配線ダクト
１２  配線ささえ
１２ｃ  穴
１２Ａ，１２Ｂ  固定部材
【図１】
2007312532.tif 000003
【図２】
2007312532.tif 000004
【図３】
2007312532.tif 000005
【図４】
2007312532.tif 000006
【図５】
2007312532.tif 000007